(57)【要約】【課題】材料ロスを減らすとともに、成形金型のコストを低減することができる暖房便座を提供する。【解決手段】暖房便座２は、輻射エネルギ透過性の材料で形成されて内部に空洞を有する着座ケース８と、着座ケース８の空洞７内に配置された輻射エネルギを放射する輻射型発熱体９と、空洞７内の下方に配置されて輻射型発熱体９の放射する輻射エネルギを反射する反射体１０とを備えた暖房便座であって、前記反射体１０は分割された概略Ｌ字形状の分割反射部材１１とこれと対称形の概略逆Ｌ字形状の分割反射部材１２からＵ字形状に配置してなることを特徴とする。従来輪状に打ち抜いて成形していた反射体をＬ字形状と逆Ｌ字形状に分割した。【選択図】図１
2008093249.tif 000002
【特許請求の範囲】
【請求項１】
輻射エネルギ透過性の材料で形成されて内部に空洞を有する着座ケースと、該着座ケースの空洞内に配置された輻射エネルギを放射する輻射型発熱体と、空洞内の下方に配置されて該輻射型発熱体の放射する輻射エネルギを反射する反射体とを備えた暖房便座であって、前記反射体は分割された分割反射部材からなることを特徴とする暖房便座。
【請求項２】
前記反射体は概略形状がL字形の分割反射部材とこれと対称形の概略形状が逆L字形の分割反射部材とで概略形状がＵ字形とされ、かつ、開放端が後方に位置して配置されてなることを特徴とする請求項１記載の暖房便座。
【請求項３】
前記反射体は前記L字形状とこれと対称形の前記逆L字形状の分割反射部材と補助反射部材とが輪状に配置されてなることを特徴とする請求項１または２記載の暖房便座。    
【発明の詳細な説明】
【技術分野】
【０００１】
本発明は使用時のみ加熱する暖房便座に関し、詳細には、より材料のロスを少なくしてコストダウンを図った暖房便座に関するものである。
【背景技術】
【０００２】
製作が容易で
最近、使用者がトイレに入室した後、便座に着座するまでの短時間で便座の着座部を適温に昇温させ、ヒーターを常時通電させておいて便座を加温しておく必要がなく、極めて省エネルギーな暖房便座が各種提案されている。
【０００３】
例えば、輻射エネルギ透過性の材料で形成した着座部と、前記着座部の内部に設け、輻射エネルギを放射する輻射型発熱体と、前記着座部の外表面側に設け、前記輻射エネルギを吸収して前記着座部の外面を暖房する輻射エネルギ吸収層と、人体に損傷を与えない温度で前記着座部を加熱するように前記輻射型発熱体の通電を制御する制御部とを備えた暖房便座が提案されている（特許文献１参照）。
【０００４】
これらの従来の暖房便座では、着座部を上側に有する便座の空洞部の下部に設けられた輻射エネルギを反射する輻射エネルギ反射板は、１枚の板状材料からプレス成形により輪状に形成されている。この輻射エネルギ反射板は内側と外側の端部全周に上方への折り曲げ部を有しており、その折り曲げ部により、輻射型発熱体であるランプヒータから放射状に放射された輻射エネルギが偏向される。そして、輻射エネルギ反射板はランプヒータから離れている着座部の外周縁部および内周縁部の輻射エネルギ密度を上げるように作用し、便座の上部である着座部への輻射エネルギ分布の均一化を図るように構成をしている。
【特許文献１】特開２００６−３４３１１号公報
【発明の開示】
【発明が解決しようとする課題】
【０００５】
特許文献１のような暖房便座は、輻射エネルギ反射板を１枚の板状材から輪状に形成しており、輪状に成形するために大きな金型が必要であると共に、材料ロスが多くなり、それだけコストが多くかかった。
【０００６】
本願発明は、上記課題に鑑みてなされたものであり、その目的は、プレス成型時に廃棄する部分を少なくして材料ロスを減らし、コストを低減することができる暖房便座を提供することである。
【課題を解決するための手段】
【０００７】
上記の目的を達成するために、請求項１記載の発明に暖房便座は、輻射エネルギ透過性の材料で形成されて内部に空洞を有する着座ケースと、該着座ケースの空洞内に配置された輻射エネルギを放射する輻射型発熱体と、空洞内の下方に配置されて該輻射型発熱体の放射する輻射エネルギを反射する反射体とを備えた暖房便座であって、前記反射体は分割された分割反射部材からなることを特徴とする。
【０００８】
請求項２記載の発明に係る暖房便座は、請求項１記載の暖房便座において、前記反射体は概略形状がL字形の分割反射部材とこれと対称形の概略形状が逆L字形の分割反射部材とで概略形状がＵ字形とされ、かつ、開放端が後方に位置して配置されてなることを特徴とする。
【０００９】
請求項３記載の発明に係る暖房便座は、請求項１または２記載の暖房便座において、前記反射体は前記L字形状とこれと対称形の逆L字形状の分割反射部材と補助反射部材とが輪状に配置されてなることを特徴とする。
【発明の効果】
【００１０】
請求項１記載の発明によれば、素早く暖められ、かつ着座面の温度分布が均一になることによって、快適な暖房が得られ、省エネ効果も得ることができる。さらに、材料のロスを減らすことができ、プレス金型を小さくでき、コストを低減することができる。
【００１１】
請求項２記載の発明によれば、請求項１の効果に加えて、Ｌ字形状と逆Ｌ字形状の分割部材とすることで、金型を１つで良くして一層コストを低減することができる。
【００１２】
請求項３記載の発明によれば、請求項１の効果に加えて、着座面の後部の温度分布をより均一にすることができる。
【発明を実施するための最良の形態】
【００１３】
以下、本発明の実施の形態について、図面を参照して説明する。図１は本発明の実施の形態に係る暖房便座の上部を破断した平面図、図２は本発明の実施の形態における暖房便座を示す断面図、図３は暖房便座を備えた便器の斜視図である。この実施の形態の暖房便座２は、便器本体３の後端部に回動自在に設けられ、便蓋４とともに便器１を構成している。また、便蓋４も便器本体３の後端部に回動自在に設けられている。
【００１４】
暖房便座２は、上ケース５と下ケース６とから内部に空洞７を有するように形成された着座ケース８と、着座ケース８の空洞７内に配置された輻射エネルギを放射する輻射型発熱体９と、空洞７内の前方の下方に配置された反射体１０とを備える。暖房便座２の着座ケース８は、上ケース５と下ケース６の２つの部材を、それぞれの内周縁および外周縁で溶着接合することにより形成され、その内部には水等の浸入を阻止できる密閉された空洞部７を有する構造とすると共に、剛性を有する構造矩体として機能するようになっている。
【００１５】
暖房便座２の反射体１０はアルミニウム板からなり、分割された概略の形状がＬ字形の分割反射部材１１と、これと対称形の概略の形状が逆Ｌ字形の分割反射部材１２とから構成され、Ｕ字形状に便座空洞７内の下部に配置される。反射体１０は、概略の形状がＵ字形状に配置される分割反射部材１１、１２のＵ字の開放端部にあたる着座ケース８の後端部の下方に配置される補助反射部材１３を有している。また、分割反射部材１１、１２は、長手に沿う縁が上方に折り曲げられた縁部１１ａ，１２ａを有している。分割反射部材１１、１２は、アルミニウム板から打ち抜き成形により形成され、補助分割部材１３はアルミシートにより形成されている。
【００１６】
反射体１０上方の輻射型発熱体９から放射状に放射された輻射エネルギは分割反射部材１１、１２により反射される。反射体９の縁方向に放射された輻射エネルギは分割反射部材１１、１２の折り曲げ部１１ａ，１２ａにより中心側に反射される。
【００１７】
このように、着座ケース８前部の反射体１０をＬ字形の分割反射部材１１と対称形の逆Ｌ字形の分割反射部材１２とすることにより、成形金型をＬ字形状のもの１個で逆Ｌ字形状の加工もできるので、金型を１個ですますことができ、コストを低減することができる。また輪状に打ち抜かなくても良く、Ｌ字形と逆Ｌ字形を交互に成形するように型取り配置ができるので原料ロスを大幅に低減することができる。
【００１８】
着座ケース８の上ケース５を効率よく加熱する必要のある便座の前部は輻射エネルギを効率よく反射するように板材から成形した分割反射部材１１，１２を配置し、それほど加熱を要しない便座後部はアルミシート等の簡易な補助反射部材とすることでも、暖房便座のコストを低減することができる。
【００１９】
また、着座ケース８の上ケース５はアルミニウム材料で構成され、表面に表面硬度、耐薬品性能、光沢等を考慮した光遮断層である表面化粧層１４が形成されている。下ケース６は、例えば、透明ポリプロピレン樹脂材料を平均厚み２．５ｍｍにて成形されている。上ケース５の表面化粧層１４の厚みは、例えば０．２ｍｍとされ、上ケース5層及び表面化粧層１４は輻射型発熱体９から放射された輻射エネルギを完全に吸収し、熱容量が非常に小さいので瞬時に昇温すると同時に、放射可視光を完全に遮蔽する。
【００２０】
また、着座ケース８の上ケース５には、その内面に温度検知手段であるサーミスタ１５が設けられており、上ケース５の温度を検知できるようになっている。このサーミスタ１５は２本の輻射型発熱体９が加熱する着座部に対応して設けているので、それぞれの温度を別制御するきめ細かい温度制御が可能である。また、異常温度上昇、輻射型発熱体９の発熱停止なども検知できて、適切に対応できる。
【００２１】
輻射型発熱体９は、着座ケース8の前部と後部にそれぞれ１本を、一部重複してい配置している。輻射型発熱体９は、いわゆるランプヒータが用いられている。輻射型発熱体（以下、ランプヒータという）９は、ガラス管１６の内部にタングステンからなるフィラメント１７を貫通し、ハロゲンガス１８を封入して構成されている。フィラメント１７の発熱に伴ってハロゲン化タングステンを形成するハロゲンサイクル反応を繰り返すことにより、フィラメント１７の消耗を防止するよう作用している。この作用により熱容量の非常に小さいフィラメント１７を熱源とすることができ、極めて温度上昇の急峻な立ち上がりを行わせることができる。
【００２２】
ランプヒータ９の近傍には、ランプヒータ９と電気的に直列接続されたサーモスタット１９および温度ヒューズ２０が設けられ、万一の不安全事態に対して温度過昇を防止するよう作用する。サーモスタット１９および温度ヒューズ２０は２本のランプヒータ９のそれぞれに対応するように設ければ、安全性は更に向上する。このランプヒータ９は、弾性材であるゴムブッシュ２１を有するランプヒータ固定具２２により分割反射部材１１，１２に固定され、分割反射部材１１，１２はゴム足２３を介して便座ケース８の下ケース６に固定されている。
【００２３】
また、暖房便座２はその回動軸２４に、図示していない、電極が形成され、本体３の軸受け部とともに暖房便座２の便座位置検知手段を構成し、暖房便座２が起立状態にあるか、着座して使用される略水平の使用位置にあるかを検出するようになっている。便座本体３には、室温検知手段としての室温サーミスタの検知信号を取り込んでランプヒータ９の温度制御を行い、かつ暖房便座２のランプヒータ９に通電することにより昇温を開始した時点からの経過時間をカウントするタイマー部を有するマイクロコンピュータを主体とする制御部（図示していない）が設けられている。
【００２４】
そして、制御部は人体検知センサや着座検知センサと便座位置検知手段の信号を取り込んでランプヒータ９への通電の開始と停止の制御と、着座ケース８のサーミスタ１５、室温サーミスタからの信号を取り込んで採暖面である着座部の温度が適温である所定の温度になるようランプヒータ９の温度制御が行えるようになっている。
【００２５】
以上のように構成された暖房便座について、以下に、その動作、作用を説明する。使用者がトイレに入室した場合、人体検知センサがそれを検知し、その検知信号が制御部に送られる。このとき、便座位置検知手段の信号により暖房便座２が略水平の使用位置にあるのを確認すると、制御部はランプヒータ９に通電を開始する。
【００２６】
この初期通電により投入エネルギは瞬時に輻射エネルギに変換され、フィラメント１７より出射されガラス管１６から直接又は分割反射部材１１，１２及び補助反射部材を経て上ケース５に放射される。ランプヒータ９の輻射エネルギは、着座ケース８の上部材である上ケース５の内部で一部吸収あるいは反射されるが、その大半は透過し着座部の表面化粧層１４の昇温に寄与する。
【００２７】
従って、ランプヒータ９は、人体検知センサにより使用者がトイレ室に入室したことを検知した後に着座部の昇温を開始し、使用者が衣服を下ろし、着座ケース８に着座するまでの例えば、数秒間で着座ケース８を適温まで瞬時に昇温させることができる。そのため、常時通電させておいて暖房便座２を保温させておく必要のない非常に省電力型の暖房便座を実現できる。
【００２８】
またこの時、輻射エネルギを反射する分割反射部材１１，１２の折り曲げ部１１ａ、１２ａにより、ランプヒータ９から放射状に放射される輻射エネルギが偏向される。そのため、ランプヒータ９からの輻射エネルギを着座ケース８に向かって効率よく取り出す分割反射部材１１，１２ではあるが、ランプヒータ９から離れている着座ケースの外周縁部および内周縁部の輻射密度を上げるようにも作用して、上部ケース５への輻射エネルギ分布の均一化することができる。
【００２９】
なお、本願発明は上記実施の形態に限られないことは勿論である。例えば、輻射エネルギを反射する反射体１０を、上記実施の形態においては、Ｌ字形状の分割反射部材１１と、逆Ｌ字形状の分割反射部材１１と、補助反射部材１３で構成し、分割反射部材１１、１２をアルミニウム板材で成形し、補助反射部材をアルミニウムシートで形成する例で示したが、全部をアルミニウム板材で成形しても良い。また、分割反射部材を便座に沿うような円弧状に形成したものであっても良い。
【図面の簡単な説明】
【００３０】
【図１】本発明の実施の形態に係る暖房便座を示す上面を破断した平面図である。
【図２】その暖房便座の断面図である。
【図３】暖房便座を備えた便器の斜視図である。
【符号の説明】
【００３１】
１  便器
２  暖房便座
３  便器本体
４  便蓋
５  上ケース
６  下ケース
７  空洞
８  着座ケース
９  輻射型発熱体（ランプヒータ）
１０  反射体
１１、１２  分割反射部材
１３  補助反射部材
１４  表面化粧層
【図１】
2008093249.tif 000003
【図２】
2008093249.tif 000004
【図３】
2008093249.tif 000005